(57)【特許請求の範囲】
【請求項１】
ボルト部材を用いてパネルを支柱に取り付けるようにしたパネルの取付構造において、
前記支柱に、ナット部材を挿入するための挿入口と、当該挿入口に挿入したナット部材を支柱の長手方向にスライドさせて保持するための保持部を設け、当該保持部に保持したナット部材に前記パネル側からボルト部材を通し、当該ボルト部材を締め付けることによって前記パネルを支柱に取り付けてなり、
前記保持部が、支柱の長手方向の側面に開口する凹部と、当該凹部の開口部分に設けたスライド片から成り、前記ナット部材に溝部を設けてスライド片に嵌め合わせるとともに、当該凹部とスライド片との間を、前記ナット部材全体を嵌め込める大きさに設定し、
このナット部材に突出片を一体に設け、このナット部材を引き寄せた場合に前記突出片を突出させ、前記パネルに引っ掛けてなることを特徴とするパネルの取付構造。
【請求項２】
前記ナット部材に、前記保持部の所定位置に取り付けるための取付部材を設けたことを特徴とする請求項１に記載のパネルの取付構造。
【請求項３】
ボルト部材を用いてパネルを取り付けるようにした支柱において、
ナット部材を着脱可能に保持するための保持部を設け、当該保持部に保持したナット部材に前記パネルからボルト部材を通し、当該ボルト部材を締め付けることによって前記パネルを取り付けるものであり、
前記保持部が、支柱の長手方向の側面に開口する凹部と、前記ナット部材を挿入するための挿入口と、当該挿入口に挿入したナット部材を長手方向にスライドさせて保持させるためのスライド片とを設けてなり、
前記ナット部材に溝部を設けてスライド片に嵌め合わせた際に、当該凹部とスライド片との間を、前記ナット部材全体を嵌め込める大きさに設定するとともに、
このナット部材に突出片を一体に設け、
この突出片が、前記ナット部材を引き寄せた場合に突出し、前記パネルに引っ掛かるものであることを特徴とするパネルの取り付けに使用される支柱。
【発明の詳細な説明】
【０００１】
【発明の属する技術分野】
本発明は、可動間仕切を構成するパネルを他のパネルや支柱などに取り付けるための構造などに関するものである。
【０００２】
【従来の技術】
この種類のパネルは、複数枚のパネルを隣接方向に取り付けて可動間仕切として使用するのが通例であり、特に、パネルを直角に連結して角部分を構成する場合は、その角部分に独立した支柱を設け、この支柱に対してボルト部材とナット部材を用いてパネルを取り付けるようにしている。ところで、このようにパネルを支柱に対して取り付ける場合、ボルト部材とナット部材の双方を保持して取り付け作業を行なわなければならず、あらかじめ支柱にナット部材を取り付けるなどの工夫をして作業の効率化を図る必要がある。また、このような支柱にパネルを取り付ける場合、背丈の異なるパネルを段違いにして取り付ける場合があり、この場合、それぞれのパネルのボルト部材取り付け位置に対応して所定間隔毎にナット部材を取り付けなければならない。
【０００３】
【発明が解決しようとする課題】
しかし、このパネルを角部分に取り付ける支柱は、通常、数センチ四方の中空の縦長形状に設けられているため、その支柱の内側にナット部材を取り付ける際、細かな作業が必要となる。しかも、支柱の中央部分にナット部材を取り付ける場合は、その部分に手が届かず、ナット部材を取り付けるための作業が煩雑になるばかりでなく、すべてのボルト部材の取付対応位置にナット部材を取り付けておく場合は、部品点数が多くなってコスト高の要因ともなる。
【０００４】
そこで、本発明は上記課題に着目して、パネルを取り付けるための支柱などの被取付部材に、ナット部材を容易に取り付けることができるような構造を提供することを目的とするものである。
【０００５】
【課題を解決するための手段】
すなわち、本発明は上記課題を解決するために、一のパネルを支柱に取り付けるようにしたものにおいて、ナット部材を支柱に着脱できるように保持させ、その保持されたナット部材にパネル側からボルト部材で取り付けるようにしたものである。つまり本発明は、ボルト部材を用いてパネルを支柱に取り付けるようにしたパネルの取付構造において、前記支柱に、ナット部材を挿入するための挿入口と、当該挿入口に挿入したナット部材を支柱の長手方向にスライドさせて保持するための保持部を設け、当該保持部に保持したナット部材に前記パネル側からボルト部材を通し、当該ボルト部材を締め付けることによって前記パネルを支柱に取り付けてなり、このナット部材に突出片を一体に設け、このナット部材を引き寄せた場合に前記突出片を突出させ、前記パネルに引っ掛けてなる。
【０００６】
このようにナット部材を着脱可能にすることによって、必要な部分にのみナット部材を取り付け、これによって部品点数を減らすことができる。更に、ナット部材を保持させるようにしたので、ボルト部材の締め付けの際、ナット部材を保持する必要がなく取付作業を容易に行なうことができるようになる。
【０００７】
また、パネルを支柱に取り付ける際、その支柱にナット部材を挿入して支柱の長手方向にスライドさせ、ボルト部材の挿入位置などに対応させてその位置でナット部材を保持する。そして、このように保持したナット部材にパネル側からボルトを通してパネルを支柱に取り付けるようにする。
【０００８】
このようにナット部材をスライドさせて取り付けるようにすることによって、任意の位置にナット部材を取り付けることができ、ボルト部材の挿入位置がずれた場合であっても、これに対応してナット部材の位置を変更させることができるようになる。
【０００９】
更に、ナット部材をスライドさせて保持する場合、例えば、ボルト部材の挿入位置に対応する部分にナット部材を固定するような取付部材を設ける。
【００１０】
このように取付部材を設けるようにすることによって、ナット部材をボルト部材の挿入位置に対応させるようにすることが容易になり、更に、ナット部材に対してこのような取付部材を別体として取り付けた場合は、ボルト部材の挿入位置が変更された場合であっても、その取付部材のみを変更すれば、その挿入位置に対応してナット部材を位置させることができるようになる。
【００１１】
また、このようにナット部材を支柱に対して着脱できるようにする場合、そのナット部材をスライド片の内側に収まるような保持空間を設けるようにする。すなわち本発明は、支柱の長手方向の側面に開口する凹部と、当該凹部の開口部分に設けたスライド片から成り、前記ナット部材に溝部を設けてスライド片に嵌め合わせるとともに、当該凹部とスライド片との間を、前記ナット部材全体を嵌め込める大きさに設定することを特徴とする。
【００１２】
そして、このような保持空間を設けることによって、あらかじめナット部材を保持空間に収めておけば、新たにナット部材が必要になった場合であっても、ナット部材を容易に取り出すことができ、ナット部材の調達時間や作業時間を短縮することができるようになる。
【００１３】
【発明の実施の形態】
以下、本発明の一実施の形態を、図面を参照して説明する。
【００１４】
このパネル１の取付構造は、支柱９を被取付部材とし、この支柱９の四方向の接合面９５に背丈の異なるパネル１を取り付けられるようにしたものである。このため、その接合面９５側に複数の挿入口９１を所定間隔毎に設け、この任意の挿入口９１を選択して側方からナット部材たる取付具８を取り付けてパネル１を連結できるようにしている。また、かかる取付構造を用いるに際して部品点数を減らすように、取付具８を着脱可能にユニット化してボルト部材７（図２）の挿入位置にのみその取付具８を取り付けられるように構成し、更に、支柱９の中央付近にも取付具８を取り付けられるようにするため、支柱９の長手方向に沿う開口部分に挿入口９１を設けている。そして、その挿入口９１に取付具８を嵌め込んでスライドさせ、この取付具８をボルト部材７の挿入対応位置に位置決めして固定した後、ボルト部材７を締め付けてこのパネル１を支柱９に取り付けて可動間仕切の角部分を構成するようにしている。以下、このパネル１の取付構造を構成する各要素について説明する。
【００１５】
このパネル１は、このパネル１の左右の側端面４０を形成する側枠部材４と、これらの側枠部材４に跨って水平方向に取り付けた複数の横枠部材５とを設けており、これら側枠部材４と横枠部材５とによって構造枠体３を構成している。この側枠部材４や横枠部材５は、断面を中空形状にした金属フレームによって成形したものであり、表裏面の適所にパネル１を嵌め合わせるための開口部６を設け、この開口部６に、パネル１の内面側に設けられた合成樹脂性の図示しない爪部を嵌め合わせて複数枚のパネル要素２を取り付けられるようにしている。また、この側枠部材４の上端の開口部４３には、ボルト部材７を挿入できる取付具８ａを嵌め込めるようにしており、この取付具８ａを側枠部材４の開口部４３の一部を切り欠いた凹部４２に引っ掛けるとともに、図２に示すように、このボルト部材７を斜めに挿入して側端面４０の開口部４１からボルト部材７の先端部分を突出させられるようにしている。また、この開口部４１の下方には、後述する取付具８の突出片８２を引っ掛けるためのスリット部４Ｓを設けており、この突出片８２をこのスリット部４Ｓに引っ掛けることによって、ボルト部材７の締め付け時に生ずる支柱９とパネル１との上下方向のずれを防止できるようにしている。
【００１６】
このボルト部材７を挿入しうる取付具８ａは、他のパネルを取り付ける際にナット部材としても機能するようにしたものであり、隣接して設けられたパネル１の側枠部材４の開口部４３にも取付具８ａを対向して取り付け、この取付具８ａの一方からボルト部材７を挿入して、これに対向する取付具８ａの内部ナット８１ａに嵌め合わせられるようにしたものである。そして、この取付具８ａと隣接する取付具８ａにボルト部材７を取り付けるに際して、あらかじめ、側枠部材４の凹部４２に取付具８ａの突出片８１ａを引っ掛けた状態で、側枠部材４の表面もしくは裏面側からネジで固定するようにしている。
【００１７】
このパネル１を取り付けるための支柱９は、図３や図４に示すように、パネル１を取り付けるための接合面９５を四方向に設けたものであり、そのいずれかの接合面９５を任意に選択してパネル１を取り付けることによって、二枚のパネル１を平面視Ｌ字状に直角に取り付けた状態、或いは、三枚のパネル１を平面視Ｔ字状に取り付けた状態、或いは、四枚のパネル１を平面視十字状に取り付けた状態を選択できるようにしている。
【００１８】
この支柱９には、ボルト部材７に結合される専用の取付具８を取り付けるようにした保持部９０を設けている。この保持部９０は、取付具８を接合面９５側から挿入するための挿入口９１と、後述する取付具８に設けられた溝部８７に嵌め合わせて上下方向にスライドさせるスライド片９２と、この取付具８を嵌め込むための凹部９３とを設けている。
【００１９】
この凹部９３は、平面視Ｘ字状に形成されたフレームによって各接合面９５側にＶ字形状をなして形成したもので、この凹部９３を支柱９の縦長方向および両端にわたって開口するように設けるとともに、この凹部９３の幅広開口部側に取付具８をスライドさせるためのスライド片９２を設けたものである。このスライド片９２は、支柱９の接合面９５よりも若干凹部９３の底面９４側に設けており、このスライド片９２と接合面９５との間に図示しない化粧板を取り付けることによって、パネル１を取り付けていない接合面９５の凹部９３を隠すことができるようにしている。また、このスライド片９２から凹部９３の底面９４側への奥行は、図４に示すように、取付具８や後述する取付部材８６をそのスライド片９２の内側に収められる寸法に設定されており、これによって、将来的に使用される可能性のある取付具８をスライド片９２の内側に収納して図示しない化粧板で隠せるようにしている。
【００２０】
また、このスライド片９２には、取付具８を挿入するための挿入口９１を複数設けている。この挿入口９１は、長手方向に設けられたスライド片９２に対して接合面９５側から取付具８を挿入できるようにしたものであり、この左右に設けたスライド片９２を所定間隔毎に切り欠いて設け、これらの挿入口９１に取付具８を選択的に取り付けて背丈の異なるパネルを取り付けられるようにしている。
【００２１】
この取付具８は、図５に示すように、支柱９に設けた挿入口９１に着脱できるようにユニット化したものであり、Ｖ字状の凹部９３に嵌め合わせて上下方向にスライドできるようにした取付具本体８０と、この取付具本体８０の保持孔８５ａに設けられた内部ナット８１によって構成している。この取付具本体８０は、その背面部分を支柱９の凹部９３の底面９４に対応してＶ字状に構成するとともに、その側面部分に支柱９のスライド片９２にスライド可能に嵌め合わせるための溝部８７を設け、この取付具８を機能させる場合、この溝部８７をスライド片９２に挿入して使用し、一方、この取付具８を将来の使用に向けて保持しておく場合は、取付具本体８０の背面部分を凹部９３の底面９４に接触させ、かつ、スライド片９２の内側に位置するように収納している。また、内部ナット８１を設けるための保持孔８５ａは、ボルト部材７の挿入方向に対応した角度（例えば、略４５度）に開口して設定したものであり、めねじ孔を有する内部ナット８１をこの保持孔８５ａの内部で回転しないように設けるとともに、側枠部材４の開口部４１に対応させて設けた連通口８４に向けて前後方向にスライドできるようにしたものである。そして、この内部ナット８１の先端下方に、内部ナット８１と一体に設けられた突出片８２を設け、この内部ナット８１を最も上方に引き寄せた場合に、この突出片８２を接合面９５側から突出させ、側枠部材４のスリット４Ｓに引っ掛けてボルト部材７の引き寄せに伴う上下方向のずれを防止できるようにしている。
【００２２】
また、この取付具８の下方には、ボルト部材７の挿入対応位置に取付具８を取り付けて固定するための取付部材８６を別体に設けている。この取付部材８６は、取付具８の回転仲春８６ｃを軸として接合面９５側に向けて回転できるようにしたものであり、取付部材８６を取付具８に対して略９０度折り曲げた状態で取付具８を挿入口９１に挿入し、その取付具８を上方に持ち上げるに伴って取付部材８６との角度を広げるように回転させて挿入口９１に挿入するようにしたものである。そして、その取付部材８６の段部８６ａを挿入口９１の下端部分９１ａに載せ、また、その取付部材８６に設けられた爪部８６ｂを挿入口９１下方のスライド片９２の間に弾性的に挟み込んで取付部材８６の回転を規制し、これによって取付具本体８０の連通口８４をボルト部材７の挿入対応部分に位置させるようにする。
【００２３】
次に、このように構成された各要素を用いてパネル１と支柱９を連結する場合の取り付け方法について説明する。
【００２４】
まず、構造枠体３の表裏面にパネル１を嵌め込んだ状態でこのパネル１を支柱９に取り付ける場合、支柱９側に位置する側枠部材４の上端の開口部４３からボルト部材７を有する取付具８ａを挿入し、その取付具８ａのボルト部材７を側枠部材４の側端面４０から突出させる。そして、このボルト部材７の挿入位置に対応して支柱９の挿入口９１に取付具８を取り付けるべく、取付具８の下方に取り付けられている取付部材８６を略直角にして取付具８を支柱９の長手方向と直交する方向から挿入し、取付具本体８０の両側に設けられた溝部８７を支柱９のスライド片９２に嵌め合わせて上方に移動させる。そして、この取付具８を上方に移動させるに伴って、取付部材８６を挿入口９１に挿入させるように回転させ、取付部材８６の段部８６ａを挿入口９１の下端部分９１ａに載せて下方へのスライド落下を規制し、更に、そこから爪部８６ｂをスライド片９２の奥方に嵌め込んで取付部材８６を抜けないようにする。
【００２５】
そして、この状態でパネル１を支柱９に取り付ける場合、パネル１側に取り付けられた取付具８ａのボルト部材７を取付具８の連通口８４に貫通させ、そのボルト部材７を内部ナット８１のめねじ孔に挿入して締め付けることにより、取付具８の内部ナット８１を接合面９５側に引き寄せる。そして、突出片８２を接合面９５から突出させて、この突出片８２をパネル１の側枠部材４に設けられたスリット部４Ｓに引っ掛けてパネル１の上下方向のずれを防止するようにしている。すなわち、ボルト部材７によって斜め方向から取付具８を引き寄せた場合、これに伴って、パネル１と支柱９とが互いに上下方向にずれてしまう可能性があるが、この突出片８２をスリット部４Ｓに引っ掛けることによって、この上下方向のずれを防止し、支柱１とパネル１の上端位置や下端位置などを揃えられるようにしている。
【００２６】
また、この支柱９に対して異なるパネル１を平面視Ｌ字状に取り付ける場合は、そのパネル１のボルト部材７の挿入位置に対応する部分に取付具８を取り付け、同様にしてボルト部材７を斜めに挿入して締め付けることによってボルト部材７と内部ナット８２を締め付けてそのパネル１を支柱９に取り付けるようにする。また、この場合、これらのパネル１を取り付けていない接合面９５には、将来的にパネル１の組み替えに必要となる取付具８をスライド片９２の奥方に保持させておき、更に、このスライド片９２の上面に化粧板を取り付けて、この取付具８や凹部９３などを隠すようにしている。
【００２７】
このように上記実施の形態によれば、支柱９の長手方向にわたって設けた凹部９３の開口部近傍にスライド片９２を設け、このスライド片９２に着脱可能な取付具８を保持させるようにしたので、従来のように、側枠部材４の内面側にナット部材を溶接して固定しておく場合に比べて格段に取り付け作業を簡素化することができる。また、取付具８の位置をスライド片９２に沿ってスライドさせることによって、容易にその取り付け位置を変更させることができ、ボルト部材７の挿入位置に対応して取付具８を位置させることができるようになる。
【００２８】
更に、連通口８４と開口部４１の位置合わせをして固定するための取付部材８６を別体に設けるようにしたので、連通口８４と開口部４１の位置が対応していない場合、その取付部材８６を別のものに変更するだけで、容易に位置合わせを行なうことができるようになる。
【００２９】
更に、支柱９の凹部９３の形状として、取付具８を収めて化粧板を取り付けられる大きさ及び形状に構成したので、この取付具８を支柱９に保持しておき、必要なときにその取付具８を取り出して使用することができ、取付具８の調達時間や作業時間を短縮化することができるようになる。
【００３０】
【発明の効果】
本発明では、一のパネルを隣接するパネルや支柱などを始めとする被取付部材に取り付ける際、ナット部材を被取付部材に着脱できるように保持させ、その保持されたナット部材にパネル側からボルトを通して取り付けるようにしたので、必要な部分にのみナット部材を取り付けて部品点数を減らすことができ、更に、ナット部材を保持部で保持させるようにしたので、ボルト部材の締め付けの際に、ナット部材を手で保持する必要をなくして取り付け作業を容易にすることができる。
【００３１】
また、パネルを支柱に取り付ける際、その支柱にナット部材を挿入して支柱の長手方向にスライドさせて取り付けるようにしたので、任意の位置にナット部材を位置させることができ、ボルト部材の挿入位置がずれた場合であっても、これに対応してナット部材の位置を変更させることができる。
【００３２】
更に、ナット部材をスライドさせて保持するに際して、所定位置にナット部材を位置させるための取付部材を設けるようにしたので、ナット部材をボルト部材の挿入位置に対応させることが容易になる。
【００３３】
また、このようにナット部材を支柱に対して着脱できるように構成する場合、そのナット部材をスライド片の内側に収まるような保持空間を設けたので、あらかじめナット部材を保持空間に収めておくことによって、新たにナット部材が必要になった場合であっても、ナット部材を容易に調達することができる。
【図面の簡単な説明】
【図１】本発明の一実施の形態を示すパネルと支柱の分解斜視図。
【図２】同形態における側枠部材に取り付けられる取付具を示す斜視図。
【図３】同形態における支柱に取付具を取り付けた状態を示す斜視図。
【図４】同形態における支柱に取付具を取り付けた状態を示す平面図。
【図５】同形態における支柱に取り付けられる取付具を示す図。
【図６】同形態における取付具の連結状態を示す中央断面図。
【符号の説明】
１・・・パネル
７・・・ボルト部材
８・・・ナット部材（取付具）
９・・・被取付部材（支柱）
８６・・・取付部材
９０・・・保持部
９１・・・挿入口
９２・・・スライド片
９３・・・凹部
【図１】
0004916061.tif 000002
【図２】
0004916061.tif 000003
【図３】
0004916061.tif 000004
【図４】
0004916061.tif 000005
【図５】
0004916061.tif 000006
【図６】
0004916061.tif 000007